Podtech/llm-jp-corpus-v4-ja_patent huggingface dataset:
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
（ａ）ステムブロメライン（ＥＣ３．４．２２．３２）およびアナナイン（ＥＣ３．４．２２．３１）を含むブロメラインから得られたタンパク質分解酵素混合物であって、乾燥または凍結乾燥形態にあるタンパク質分解酵素混合物；
（ｂ）ｐＨ調整剤；ならびに
（ｃ）下記を含む担体：
（ｉ）アクリル酸の架橋ポリマ；
（ｉｉ）極性共溶媒；および
（ｉｉｉ）水、
を含むデブリードマン組成物であって、
使用前、前記タンパク質分解酵素混合物（ａ）は前記ｐＨ調整剤（ｂ）および前記担体（ｃ）と混合され、約１０，０００センチポアズ（ｃＰ）〜約４５，０００ｃＰの範囲の粘度および約６．０〜約８．０の範囲のｐＨを有することにより特徴付けられるゲルの形態のデブリードマン組成物を形成し、前記タンパク質分解酵素混合物は前記デブリードマン組成物中に、前記担体の総重量の約１％（ｗ／ｗ）〜約７％（ｗ／ｗ）の範囲の量で存在する、デブリードマン組成物。
【請求項２】
前記タンパク質分解酵素混合物は前記デブリードマン組成物中、前記担体の総重量の約１％（ｗ／ｗ）〜約５％（ｗ／ｗ）の範囲の量で存在する、請求項１に記載のデブリードマン組成物。
【請求項３】
前記ｐＨ調整剤はリン酸ナトリウム、炭酸ナトリウム、および炭酸カリウムからなる群より選択される、請求項１または２に記載のデブリードマン組成物。
【請求項４】
前記アクリル酸の架橋ポリマはカルボマーである、請求項１に記載のデブリードマン組成物。
【請求項５】
前記カルボマーはアリルスクロースまたはアリルペンタエリスリトールで架橋されたアクリル酸のポリマであり、好ましくは前記カルボマーはカーボポール（登録商標）９８０ＮＦである、請求項４に記載のデブリードマン組成物。
【請求項６】
カーボポール（登録商標）９８０ＮＦは前記担体の総重量の約０．５％（ｗ／ｗ）〜１．５％（ｗ／ｗ）の範囲の量で存在する、請求項５に記載のデブリードマン組成物。
【請求項７】
前記極性共溶媒はグリセロール、ポリエチレングリコール（ＰＥＧ）、ポリプロピレングリコール、ポリグリセロール、プロピレングリコール、エタノール、イソプロピルアルコール、およびそれらの組み合わせからなる群より選択される、請求項１〜６のいずれか一項に記載のデブリードマン組成物。
【請求項８】
前記極性共溶媒はグリセロールであり、好ましくは前記担体の総重量の約２％（ｗ／ｗ）〜約１５％（ｗ／ｗ）の範囲の量で存在する、請求項７に記載のデブリードマン組成物。
【請求項９】
（ａ）前記担体の総重量の約１％ｗ／ｗ〜約７％ｗ／ｗの範囲の量で存在する、ステムブロメライン（ＥＣ３．４．２２．３２）およびアナナイン（ＥＣ３．４．２２．３１）を含むブロメラインから得られたタンパク質分解酵素混合物；
（ｂ）ｐＨ調整剤；ならびに
（ｃ）下記を含む担体：
（ｉ）アリルスクロースまたはアリルペンタエリスリトールで架橋されたアクリル酸のポリマ；
（ｉｉ）グリセロール；および
（ｉｉｉ）水
を含む、請求項１〜８のいずれか一項に記載のデブリードマン組成物。
【請求項１０】
（ａ）前記担体の総重量の約１％ｗ／ｗ〜約７％ｗ／ｗの範囲の量で存在する、ステムブロメライン（ＥＣ３．４．２２．３２）およびアナナイン（ＥＣ３．４．２２．３１）を含むブロメラインから得られたタンパク質分解酵素混合物；
（ｂ）ｐＨ調整剤；ならびに
（ｃ）下記を含む担体：
（ｉ）前記担体の総重量の約０．５％〜約１．５％（ｗ／ｗ）の範囲の量の、カーボポール（登録商標）９８０ＮＦ；
（ｉｉ）グリセロール；および
（ｉｉｉ）水
を含む、請求項１〜９のいずれか一項に記載のデブリードマン組成物。
【請求項１１】
（ａ）第１の容器中に前記担体の総重量の約１％（ｗ／ｗ）〜約７％（ｗ／ｗ）の範囲の量、好ましくは約１％（ｗ／ｗ）〜約５％（ｗ／ｗ）の範囲の量で存在する、ステムブロメライン（ＥＣ３．４．２２．３２）およびアナナイン（ＥＣ３．４．２２．３１）を含むブロメラインから得られたタンパク質分解酵素混合物；
（ｂ）下記を含む、第２の容器中に存在する担体：
（ｉ）前記担体の総重量の約０．９％（ｗ／ｗ）の量のカーボポール（登録商標）９８０ＮＦ；
（ｉｉ）前記担体の総重量の約１０％（ｗ／ｗ）の量のグリセロール；
（ｉｉｉ）前記担体の総重量の約０．２５％（ｗ／ｗ）の量で存在する無水リン酸水素二ナトリウム；および
（ｉｖ）水、
を含み、
前記組成物の粘度は約１５，０００ｃＰ〜約２５，０００ｃＰの範囲であり、ｐＨは約６．０〜約７．０の範囲である、請求項１〜１０に記載のデブリードマン組成物。
【請求項１２】
創傷のデブリードマンに使用するための、請求項１〜１１のいずれか一項に記載のデブリードマン組成物。
【請求項１３】
前記創傷は慢性または治癒困難な創傷であり、好ましくは前記慢性創傷は、糖尿病性潰瘍、静脈うっ血潰瘍、動脈不全潰瘍、圧迫潰瘍、術後創傷、および外傷後創傷からなる群より選択される、請求項１２に記載のデブリードマン組成物。
【請求項１４】
前記デブリードマン組成物の適用は、少なくとも１の適用のレジメンで実施され、前記デブリードマン組成物は一適用あたり、約４時間の間、または約２４時間の間、または約４８時間の間、または約７２時間の間、前記創傷部位と接触して維持され、前記レジメンは、１回、２回またはそれ以上の回数、前記創傷が完全に郭清される、および／または創傷閉鎖が得られるまで繰り返される、請求項１２または１３に記載のデブリードマン組成物。
【請求項１５】
前記デブリードマン組成物の適用は、少なくとも１０の適用のレジメンで、または、前記創傷が郭清されるまで実施され、前記デブリードマン組成物は一適用あたり、約４時間の間、または約２４時間の間、または約４８時間の間、または約７２時間の間、前記創傷部位と接触して維持され、前記レジメンは、１回、２回またはそれ以上の回数、前記創傷が完全に郭清される、および／または創傷閉鎖が得られるまで繰り返される、請求項１２または１３に記載のデブリードマン組成物。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
以下の式の化合物：
2019508397.tif 000001
ここで、
n は、0 から 6 までの間から選択される整数である；
2019508397.tif 000002
2019508397.tif 000003
R2, R3, 及び R4 は、H、メチル、エチル、プロピル、イソプロピル,フェニル、OH, NH2, SH, 及びCN からなる群から独立して選択される；
R5, R6, R7, 及び R8 は、メチル、エチル、プロピル、イソプロピル、フェニル、OH, NH2, SH, 及び CN からなる群から独立して選択される；
R9 及び R10 は、OH, NH2, SH, CN, 及び水素からなる群から独立して選択される；
R11, R12, R13, 及び R14 は、水素及びメチルからなる群から独立して選択される；
R15 及び R16 は、OH, NH2, SH, CN 及び水素からなる群から独立して選択される； 
2019508397.tif 000004
2019508397.tif 000005
【請求項２】
以下からなる群から選択される、請求項１に記載の化合物
2019508397.tif 000006
2019508397.tif 000007
。
【請求項３】
以下の表からの化合物：
2019508397.tif 000008
2019508397.tif 000009
2019508397.tif 000010
2019508397.tif 000011
.
【請求項４】
ヒト受動拡散型ヌクレオシド輸送体１（ENT1）を阻害する際に使用するための請求項１，２又は３の何れか一項に記載の化合物。
【請求項５】
アデノシン・シグナル伝達を増加させる際に使用するための請求項１，２又は３の何れか一項に記載の化合物。
【請求項６】
請求項５に記載した使用するための化合物であって、前記化合物を投与することにより、抗ウイルス活性の増加、抗寄生虫活性の増加、アルコール耐性の増加、疼痛の減少及び虚血からの保護、てんかん発作の重症度の低下、勃起不全の軽減、肝機能の改善、呼吸器疾患の改善、敗血症の改善、血栓症の改善、高血圧の改善、炎症性疾患の改善、アレルギーの改善、心虚血の改善、不整脈の改善、パーキンソン病の改善、慢性心不全の改善、間接リウマチの改善、ドライアイ疾患の改善、慢性局面型乾癬（chronic plaque type psoriasis）の改善、慢性神経因性疼痛の改善及び鎌状赤血球疾患の改善からなる群から選択される 1 つ以上の効果をもたらす、化合物。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
製品のための密封パッケージを製造するための機械を動作させる方法であって、
前記密封パッケージ（２；１０２）は、進行方向（Ｆ１）に沿ってシート状包装材料（１；１０１）を進め、連続したチューブを形成するために前記シート状包装材料（１；１０１）を長手方向に密封し、前記製品が充填されたそれぞれの予備密封包装ユニット（２００）を前記チューブから入手するために、前記進行方向（Ｆ１）に対して横断方向に前記チューブを密封および切断することによって製造され、
第１の構造を有するパッケージ（２）を製造していた前記機械が、第２の構造を有するパッケージ（１０２）を製造することが可能になるように前記機械の構成を変更するステップを含み、前記第１の構造は、前記第２の構造と異なり、前記第１の構造を有する前記パッケージ（２）は、長さ（Ｌ）および幅（Ｗ）を有する第１の基本ユニット（３）を含む第１のシート状包装材料（１）から製造され、前記第２の構造を有する前記パッケージ（１０２）は、それぞれ前記第１の基本ユニット（３）の前記長さ（Ｌ）および幅（Ｗ）に等しい長さ（Ｌ）および幅（Ｗ）を有する第２の基本ユニット（１０３）を含む第２のシート状包装材料（１０１）から製造され、前記第１の基本ユニット（３）および前記第２の基本ユニット（１０３）は、互いに異なるそれぞれの折り目パターン（２０；１２０）を有する、方法。
【請求項２】
前記第１の構造を有する前記パッケージ（２）は、前記第２の構造を有する前記パッケージ（１０２）の形状と異なる形状を有する、請求項１に記載の方法。
【請求項３】
前記第１の構造を有する前記パッケージ（２）は、前記第２の構造を有する前記パッケージ（１０２）の容量と異なる容量を有する、請求項１または２に記載の方法。
【請求項４】
前記第１の構造を有する前記パッケージ（２）は、少なくとも第１の端部断面を有し、前記第２の構造を有する前記パッケージ（１０２）は、少なくとも第２の端部断面を有し、前記第１の端部断面および前記第２の端部断面は、前記対応するパッケージ（２、１０２）の主要な寸法に垂直であり、前記第１の端部断面および前記第２の端部断面は、同じ長さ寸法（Ｗ１、Ｄ１）を有する、請求項１〜３のいずれか一項に記載の方法。
【請求項５】
前記第１の構造を有する前記パッケージ（２）は、少なくとも第１の長手方向境界域を有し、および前記第２の構造を有する前記パッケージ（１０２）は、少なくとも第２の長手方向境界域を有し、前記第１の長手方向境界域および前記第２の長手方向境界域は、互いに異なるそれぞれの形状を有する、請求項１〜４のいずれか一項に記載の方法。
【請求項６】
前記第１の長手方向境界域は、直線状の長手方向縁（５１；５２；５３）を含む、請求項５に記載の方法。
【請求項７】
前記第２の長手方向境界域は、前記第２の構造を有する前記パッケージ（１０２）の側壁（１４９；１５０）と前壁（１４７）との間に配置されるコーナーパネル（８１；８２）を含む、請求項５または６に記載の方法。
【請求項８】
前記コーナーパネル（８１；８２）は、共通の点（Ｐ２、Ｑ２；Ｐ３、Ｑ３）間に延在する２つの折り目線（９０、９１；９２、９３）に沿って前記第２の基本ユニット（１０３）をそれぞれ折り曲げることによって得られる２つの境界（８３、８４；８５、８６）によって区切られる、請求項７に記載の方法。
【請求項９】
前記２つの折り目線（９０、９１；９２、９３）は、それぞれ凹形状を有し、それぞれの凹面は、互いに向かい合っている、請求項８に記載の方法。
【請求項１０】
前記２つの折り目線（９０、９１；９２、９３）のそれぞれの１つは、湾曲した折り目線、一連の少なくとも２つの直線状の折り目セグメントによって画定された折り目線、湾曲した折り目線および直線状の折り目セグメントの組合せを含む群から選択される、請求項８または９に記載の方法。
【請求項１１】
前記進行方向（Ｆ１）は、前記第１の基本ユニット（３）または前記第２の基本ユニット（１０３）の前記長さ（Ｌ）に平行である、請求項１〜１０のいずれか一項に記載の方法。
【請求項１２】
前記第１のシート状包装材料（１）または前記第２のシート状包装材料（１０１）は、把持ジョーの少なくとも対によって前記進行方向（Ｆ１）に沿って進められる、請求項１〜１１のいずれか一項に記載の方法。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
複数の原料容器（２）からの液体を目標容器（５）に移送可能な医薬製剤を製造する装置（１）であって、該装置（１）は、少なくとも１つのポンプ（６）と、多数の弁（９）を備える取外し可能な弁ブロック（３）に対するレセプタクルとを備え、前記原料容器（２）からの流入口は、前記弁（９）によって制御可能であり、前記弁（９）は、作動部材（１４ａ〜１４ｆ）、特にプラグ（１４ａ〜１４ｆ）を備え、該装置（１）は、前記弁（９）を作動させることが可能な連動要素（１８）を備え、
前記連動要素（１８）は、少なくとも２つの列（ａ、ｂ）に相互にオフセットされるように配置されることを特徴とする、装置。
【請求項２】
請求項１に記載の装置（１）であって、前記連動要素（１８）は、少なくとも２つの直線列（ａ、ｂ）に配置され、１つの列（ａ）における前記連動要素（１８）は、他の列（ｂ）の前記連動要素（１８）に対して、前記連動要素（１８）のそれぞれの間隔のおよそ半分だけオフセットされていることを特徴とする、装置。
【請求項３】
請求項１又は２に記載の装置（１）であって、該装置（１）は、前記連動要素（１８）に対するモーター（２１）を備える駆動ユニット（４１）を備え、前記モーター（２１）は、相互にずらされた少なくとも２つの列に配置されることを特徴とする、装置。
【請求項４】
請求項３に記載の装置（１）であって、前記モーター（２１）は、ハウジング（２０）を備え、前記列に沿った前記モーター（２１）の前記ハウジング（２０）は、相互に係合するように配置されることを特徴とする、装置。
【請求項５】
請求項１〜４のいずれか１項に記載の装置（１）であって、前記弁（９）を駆動する前記連動要素（１８）は、直線的に延在する駆動シャフト（２３）によって、前記モーター（２１）の駆動シャフト（４５）に接続されることを特徴とする、装置。
【請求項６】
請求項１〜５のいずれか１項に記載の装置（１）であって、前記連動要素（１８）は、噛合クラッチ（２７）によって前記モーター（２１）に接続されることを特徴とする、装置。
【請求項７】
請求項６に記載の装置（１）であって、前記連動要素（１８）は、前記駆動シャフト（２３）によって可動であり、前記駆動シャフトの前側部分（３２）は、前記噛合クラッチ（２７）の上方に配置される駆動ユニット（４１）の階層（４２）に取り付けられることを特徴とする、装置。
【請求項８】
請求項１〜７のいずれか１項に記載の装置（１）であって、該装置（２０）は、前記連動要素（１８）に対するモジュール式の駆動ユニット（４１）を備え、該駆動ユニット（４１）は、該装置（１）のハウジング（２０）の、前記連動要素（１８）とは反対側に取り付けられることを特徴とする、装置。
【請求項９】
請求項１〜８のいずれか１項に記載の装置（１）であって、該装置（１）の前記モーター（２１）の負荷が監視されることを特徴とする、装置。
【請求項１０】
請求項１〜９のいずれか１項に記載の装置（１）であって、該装置は、それぞれの弁位置を監視するセンサーユニット（２８、２８ａ〜２８ｃ）を備えることを特徴とする、装置。
【請求項１１】
請求項１０に記載の装置（１）であって、前記センサーユニット（２８、２８ａ〜２８ｃ）は、前記弁位置に応じて、フィンガー（３０）が到達する複数の光バリア（２８、２８ａ〜２８ｃ）を含むことを特徴とする、装置。
【請求項１２】
請求項１０又は１１に記載の装置（１）であって、該装置（１）は、複数のセンサーユニット（２８、２８ａ〜２８ｃ）を備え、該センサーユニット（２８、２８ａ〜２８ｃ）は、特に印刷回路基板の支持部（２９）の上側及び支持部（２９）の下側に配置されることを特徴とする、装置。
【請求項１３】
医薬製剤を製造する装置（１）上に配置される弁ブロック（３）であって、前記装置（１）は、請求項１〜１２のいずれか１項に記載のものであり、
該弁ブロック（３）が、多数の弁（９）を備え、
該弁（９）が、該弁（９）を開閉することができる作動部材（１４ａ〜１４ｆ）を備え、
該作動部材（１４ａ〜１４ｆ）が、装置の連動要素（１８）によって作動可能である、
弁ブロック。
【請求項１４】
請求項１３に記載の弁ブロック（３）であって、前記弁（９）は、それぞれ集水ダクト（３８）への１つの出口（３９）を有し、前記集水ダクト（３８）に沿った全ての弁（９）の前記出口（３０）は、前記集水ダクト（３８）の軸方向に相互に離間するように配置されることを特徴とする、弁ブロック。
【請求項１５】
請求項１３又は１４に記載の弁ブロック（３）であって、前記弁（９）は、中央封鎖位置を有する３／３方向弁として構成されることを特徴とする、弁ブロック。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
非テレセントリック発光型微小画素アレイ光変調器であって、
制御レイヤと、
前記制御レイヤの上に積み重ねられた、画素化された多色発光のＩＩＩ／Ｖ族半導体レイヤであって、該画素化された多色発光のＩＩＩ／Ｖ族半導体レイヤは、色的及び時間的に変調される、少なくとも部分的にコリメートされ、画素化された光を発するべく、前記制御レイヤから制御可能である、画素化された多色発光のＩＩＩ／Ｖ族半導体レイヤと、
前記画素化された多色発光のＩＩＩ／Ｖ族半導体レイヤの上の方向性変調レイヤの光学素子であって、各光学素子は、対応する画素からその光学素子上に結合される光を、前記画素化された多色発光のＩＩＩ／Ｖ族半導体レイヤに垂直な軸に対して、それぞれの方向へ方向性変調する、方向性変調レイヤの光学素子と、
を備える、非テレセントリック発光型微小画素アレイ光変調器。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
光出力のラインを提供するための光出力装置と、第１のレンチキュラレンズアレイとを備える操向可能ディスプレイバックライトであって、ｔａｎ−１（１．５ＩＯＤ／ｖｄ）とｔａｎ−１（５ＩＯＤ／ｖｄ）との間の角度広がりを有する出力ビームを有し、ここで、ＩＯＤは眼間距離であり、ｖｄはディスプレイからの所期の観察者距離である、操向可能ディスプレイバックライトと、
表示画像を生成するためのディスプレイサブピクセルのアレイを有するディスプレイパネルであって、前記操向可能ディスプレイバックライトによって照明される、ディスプレイパネルと、
異なる観察方向に少なくとも２つのビューを生成するための第２のレンチキュラレンズアレイと、
１人又は複数人の観察者を追跡するための頭部及び／又は眼追跡システムと、
前記ディスプレイパネル及び前記操向可能ディスプレイバックライトを制御するためのコントローラであって、追跡された観察者の両眼に同時にビューを提供し、複数の観察者が存在する場合には、異なる追跡された観察者の両眼に時系列的にビューを提供する、コントローラと
を備える、自動立体視ディスプレイ。
【請求項２】
前記第２のレンチキュラレンズアレイが少なくとも４つのビューを有し、前記コントローラが、追跡された観察者の両眼にビューを提供することを、前記第２のレンチキュラレンズアレイが各サブピクセルから前記観察者の左右の眼の推定位置に出力を投影する量に応じて、サブピクセルごとに少なくとも２つの入力ビューを割り当てることによって行う、請求項１に記載の自動立体視ディスプレイ。
【請求項３】
前記第２のレンチキュラレンズアレイが１０個を超えるフラクショナルビューを有し、前記コントローラが、追跡された観察者の両眼にビューを提供することを、前記第２のレンチキュラレンズアレイが各サブピクセルから前記観察者の左右の眼の推定位置に出力を投影する量に応じて、サブピクセルごとに少なくとも２つの入力ビューを割り当てることによって行う、請求項１又は２に記載の自動立体視ディスプレイ。
【請求項４】
前記第２のレンチキュラレンズアレイを前記ディスプレイパネルに対してシフトさせるシフト装置をさらに備え、前記コントローラが、追跡された観察者の両眼に、ただ２つの可能なビューから選択されるビューを提供し、前記コントローラが、前記ディスプレイパネルに対する前記第２のレンチキュラレンズアレイのシフトを制御する、請求項１に記載の自動立体視ディスプレイ。
【請求項５】
前記操向可能ディスプレイバックライトがｔａｎ−１（１．５ＩＯＤ／ｖｄ）とｔａｎ−１（３ＩＯＤ／ｖｄ）との間の角度広がりを有する出力ビームを有し、ここで、ＩＯＤは眼間距離であり、ｖｄは前記ディスプレイパネルからの所期の観察者距離である、請求項１から４のいずれか一項に記載の自動立体視ディスプレイ。
【請求項６】
前記頭部及び／又は眼追跡システムが、前記ディスプレイパネルに対する前記観察者の横方向位置と前記観察者までの距離とを特定するためのものである、請求項１から５のいずれか一項に記載の自動立体視ディスプレイ。
【請求項７】
前記ディスプレイパネルの片側に拡散板を備える、請求項１から６のいずれか一項に記載の自動立体視ディスプレイ。
【請求項８】
１人又は複数人の観察者を追跡するステップと、
追跡された前記観察者の位置に応じてバックライト光出力のラインを提供するステップと、
第１のレンチキュラレンズアレイを介して前記バックライト光出力のラインを指向させて、指向制御を提供し、これによりｔａｎ−１（１．５ＩＯＤ／ｖｄ）とｔａｎ−１（５ＩＯＤ／ｖｄ）との間の角度広がりを有する出力を生成するステップであって、ここで、ＩＯＤは眼間距離であり、ｖｄはディスプレイからの所期の観察者距離であるステップと、
指向制御された前記バックライト光出力を使用してディスプレイサブピクセルのアレイを備えるディスプレイパネルを照明することによって、表示画像を生成するステップと、
第２のレンチキュラレンズアレイを使用して異なる観察方向に少なくとも２つのビューを生成するステップであって、追跡された観察者の両眼に同時にビューが提供され、複数の観察者が存在する場合には、異なる追跡された観察者の両眼に時系列的にビューが提供される、生成するステップと
を有する、自動立体視表示方法。
【請求項９】
ｔａｎ−１（１．５ＩＯＤ／ｖｄ）とｔａｎ−１（３ＩＯＤ／ｖｄ）との間の角度広がりを有する出力ビームを生成するステップを有し、ここで、ＩＯＤは眼間距離であり、ｖｄは前記ディスプレイからの所期の観察者距離である、請求項８に記載の自動立体視表示方法。
【請求項１０】
少なくとも４つのいくつかの入力ビューを生成するステップと、前記第２のレンチキュラレンズアレイが各サブピクセルから前記観察者の左右の眼の推定位置に出力を投影する量に応じて、サブピクセルごとに少なくとも２つの入力ビューを割り当てるステップとを有する、請求項８又は９に記載の自動立体視表示方法。
【請求項１１】
１０個未満、又は８個未満のいくつかのビューを生成するステップと、前記第２のレンチキュラレンズアレイが各サブピクセルから前記観察者の左右の眼の推定位置に出力を投影する量に応じて、サブピクセルごとに少なくとも２つの入力ビューを割り当てるステップとを有する、請求項８から１０のいずれか一項に記載の自動立体視表示方法。
【請求項１２】
２つのビューを生成するステップと、追跡された観察者の両眼に前記２つのビューを提供するステップとを有し、前記第２のレンチキュラレンズアレイを前記ディスプレイパネルに対してシフトさせるステップをさらに有する、請求項８に記載の自動立体視表示方法。
【請求項１３】
前記ディスプレイパネルに対する前記観察者の横方向位置と前記観察者までの距離とを特定するステップを有する、請求項８から１２のいずれか一項に記載の自動立体視表示方法。
【手続補正書】
【提出日】令和1年12月23日(2019.12.23)
【手続補正１】
【補正対象書類名】明細書
【補正対象項目名】０１０９
【補正方法】変更
【補正の内容】
【０１０９】
本明細書に説明される実施形態は、本明細書にさらに説明されるいくつかの利点を有する。加えて、本明細書に説明される実施形態は、検査および計測用途に使用可能なトレーニングされた画像生成モデルを達成することの１００〜１０００ｘの加速を可能にすることができる。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
胎児の染色体の異常の確率を判定するコンピュータ実装方法を実行するように構成された装置であって、
前記方法が、女性被験者から取得された生体試料から標的染色体に関する第１のパラメータおよび染色体配列密度を表す第２のパラメータを示すデータを決定することと、
胎児の染色体の異常を示す尤度比を決定することであって、該尤度比が、該第１のパラメータおよび該第２のパラメータに基づいてそれぞれの異常モデルおよび正常モデルに従って染色体の異常の確率と染色体の正常の確率の比として決定することと、
１つまたは複数の性能パラメータ閾値を決定することと、
該試料に関連付けられた１つまたは複数の性能パラメータの推定値を該１つまたは複数の性能パラメータ閾値と比較することと
を含む装置。
【請求項２】
前記性能パラメータ閾値のうちの少なくとも１つが、前記異常モデルおよび前記正常モデルの一方または両方から決定される、請求項１記載の装置。
【請求項３】
前記１つまたは複数の性能パラメータ閾値が胎児由来断片閾値を含む、請求項１記載の装置。
【請求項４】
前記胎児由来断片閾値が前記正常モデルに基づいて決定される、請求項３記載の装置。
【請求項５】
前記比較することが、前記試料に対する胎児由来断片の推定値を前記胎児由来断片閾値と比較することを含む、請求項３または４記載の装置。
【請求項６】
前記方法が、前記性能パラメータの前記推定値が前記性能パラメータ閾値よりも小さいとき、前記生体試料を、低い性能パラメータを有すると判定することを含む、請求項１から５のいずれか記載の装置。
【請求項７】
前記方法が、前記胎児由来断片の推定値が前記胎児由来断片閾値よりも小さいとき、前記生体試料を、低い胎児由来断片を有すると判定することを含む、請求項６記載の装置。
【請求項８】
前記性能パラメータ閾値が、前記第１のパラメータおよび前記第２のパラメータに基づいて動的に決定される、請求項１から７のいずれか記載の装置。
【請求項９】
前記胎児由来断片閾値が、前記第１のパラメータおよび前記第２のパラメータに基づいて動的に決定される、請求項３またはそれに従属するいずれかの請求項に従属する場合の、請求項８記載の装置。
【請求項１０】
前記胎児由来断片閾値が最小カウント比に基づいて決定される、請求項３またはそれに従属するいずれかの請求項記載の装置。
【請求項１１】
前記最小カウント比が、前記正常モデルからの確率密度関数下面積が所定の最低感度であることに基づく、請求項１０記載の装置。
【請求項１２】
前記胎児由来断片閾値ＦＦＮ＿ｍｉｎが、
【数１】
2019508781.tif 000001
として決定され、ここで、ＲＦＮ＿ｍｉｎは最小カウント比であり、
【数２】
2019508781.tif 000002
は、前記標的染色体に関する平均無影響染色体カウント比である、請求項３またはそれに従属するいずれかの請求項記載の装置。
【請求項１３】
前記尤度比（ＬＲ）が、
【数３】
2019508781.tif 000003
として決定され、ここで、ＤＴｒｉ（Ｒｉｎ，Ａ）は前記異常モデルに従って決定される染色体の異常の確率であり、ＤＮｏｎ（Ｒｉｎ，Ａ）は前記正常モデルに従って決定される染色体の正常の確率であり、Ｒｉｎは前記標的染色体に関する前記第１のパラメータであり、Ａは染色体配列密度を表す前記第２のパラメータである、請求項１から１２のいずれか記載の装置。
【請求項１４】
前記染色体カウント比が、１つまたは複数の参照染色体の各々に割り当てられたマッチングされた核酸の総数に対する標的染色体に割り当てられたマッチングされた核酸の総数の比である、請求項１から１３のいずれか記載の装置。
【請求項１５】
前記第１のパラメータが染色体カウント比を示す、請求項１から１４のいずれか記載の装置。
【請求項１６】
前記第２のパラメータが常染色体カウント数を示す、請求項１から１５のいずれか記載の装置。
【請求項１７】
処理ユニットと、
異常モデルおよび正常モデルを表すデータと、該処理ユニットによって実行されると、
女性被験者から取得された生体試料から標的染色体に関する第１のパラメータおよび染色体配列密度を表す第２のパラメータを示すデータを決定するステップと、
胎児の染色体の異常を示す尤度比を決定するステップであって、該尤度比が、該第１のパラメータおよび該第２のパラメータに基づいて該それぞれの異常モデルおよび正常モデルに従って染色体の異常の確率と染色体の正常の確率の比として決定するステップと、
１つまたは複数の性能パラメータ閾値を決定するステップと、
該試料に関連付けられた１つまたは複数の性能パラメータの推定値を該１つまたは複数の性能パラメータ閾値と比較するステップと
を実行するコンピュータ実行可能命令とを記憶するメモリ・ユニットと
を備える装置。
【請求項１８】
ＤＮＡ処理システムからデータを受け取るためのインタフェース・ユニットを備える、請求項１７記載の装置。
【請求項１９】
コンピュータによって実行されると、前記方法を実行するために請求項１から１６のいずれか記載の装置を制御するように構成されるコンピュータ・ソフトウェア。
【請求項２０】
コンピュータ可読媒体上に記憶された、請求項１９記載のコンピュータ・ソフトウェア。
【請求項２１】
コンピュータ可読媒体上に有形に記憶された、請求項１９記載のコンピュータ・ソフトウェア。
【誤訳訂正書】
【提出日】令和2年4月13日(2020.4.13)
【誤訳訂正１】
【訂正対象書類名】特許請求の範囲
【訂正対象項目名】全文
【訂正方法】変更
【訂正の内容】
【特許請求の範囲】
【請求項１】
液晶表示パネルを含む液晶表示装置であって、
前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に一定のグレースケール値に従って増加しており、３Ｄ印刷技術プロセスによって取得されたものであり且つその厚さが０．４ｍｍ以下である前記フレームとを含み、
前記フレームは、３以上のサブフレーム層を含み、
隣り合う２つの前記サブフレーム層のグレースケール値の差は、いずれも同じである前記液晶表示装置。
【請求項２】
前記サブフレーム層のそれぞれの厚さは、いずれも同じである請求項１に記載の液晶表示装置。
【請求項３】
隣り合う２つの前記サブフレーム層の厚さの差は、いずれも同じである請求項１に記載の液晶表示装置。
【請求項４】
前記液晶層に最も近いサブフレーム層と、前記液晶層に最も遠いサブフレーム層とも、残りの他のサブフレーム層よりも厚さが大きい請求項１に記載の液晶表示装置。
【請求項５】
前記フレームの材料がプラスチックである請求項１に記載の液晶表示装置。
【請求項６】
前記第１の基板は、アレイ基板であり、前記第２の基板は、カラーフィルム基板である請求項１に記載の液晶表示装置。
【請求項７】
前記フレームの下に位置しているバックライトモジュールを更に含む請求項１に記載の液晶表示装置。
【請求項８】
液晶表示パネルを含む液晶表示装置であって、
前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に一定のグレースケール値に従って増加している前記フレームとを含み、
前記フレームは、３以上のサブフレーム層を含み、
隣り合う２つの前記サブフレーム層のグレースケール値の差は、いずれも同じである前記液晶表示装置。
【請求項９】
前記サブフレーム層のそれぞれの厚さは、いずれも同じである請求項８に記載の液晶表示装置。
【請求項１０】
隣り合う２つの前記サブフレーム層の厚さの差は、いずれも同じである請求項８に記載の液晶表示装置。
【請求項１１】
前記液晶層に最も近いサブフレーム層と、前記液晶層に最も遠いサブフレーム層とも、残りの他のサブフレーム層よりも厚さが大きい請求項８に記載の液晶表示装置。
【請求項１２】
前記フレームの厚さが０．４ｍｍ以下である請求項８に記載の液晶表示装置。
【請求項１３】
前記フレームは、３Ｄ印刷技術プロセスによって取得されたものである請求項８に記載の液晶表示装置。
【請求項１４】
前記フレームは、その材料がプラスチックである請求項８に記載の液晶表示装置。
【請求項１５】
前記第１の基板は、アレイ基板であり、前記第２の基板は、カラーフィルム基板である請求項８に記載の液晶表示装置。
【請求項１６】
前記フレームの下に位置しているバックライトモジュールを更に含む請求項８に記載の液晶表示装置。
【誤訳訂正２】
【訂正対象書類名】明細書
【訂正対象項目名】０００９
【訂正方法】変更
【訂正の内容】
【０００９】
本発明の液晶表示装置において、前記フレームは、複数のサブフレーム層を含み、隣り合う２つの前記サブフレーム層のグレースケール値は、いずれも同じである。
【誤訳訂正３】
【訂正対象書類名】明細書
【訂正対象項目名】００１７
【訂正方法】変更
【訂正の内容】
【００１７】
本発明の液晶表示装置において、前記フレームは、複数のサブフレーム層を含み、隣り合う２つの前記サブフレーム層のグレースケール値は、いずれも同じである。
【誤訳訂正４】
【訂正対象書類名】明細書
【訂正対象項目名】００４０
【訂正方法】変更
【訂正の内容】
【００４０】
好ましくは、隣り合う２つの前記サブフレーム層のグレースケール値の差は、いずれも同じである。例えば、サブフレーム層ＡとＢのグレースケール値の差は、サブフレーム層ＢとＣのグレースケール値の差、及びサブフレーム層ＣとＤのグレースケール値の差に等しい。即ち、内側におけるサブフレーム層から外側におけるサブフレーム層までの色は、一定のグレースケール値に従って増加している。よって、光の吸収効果がより向上されて、漏光がより良く防止される。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
流体透過性の表面シートと、
流体不透過性の裏シートと、
上記表面シートと上記裏シートとの間に配置された吸収性パッドと、
縁部から延びる把持可能な部分を有し、上記吸収性パッドと流体接触するように配置された流体採取検査ストリップと
を備え、
上記裏シート又は上記表面シートの少なくとも1つは、流体採取検査ストリップの取り外し及び/又は挿入を可能にする大きさに形成された開口を含み、
上記吸収性パッドは、おむつ、又は、女性生理用品若しくは失禁パッド等の吸収性衛生パッドに組み込まれている、膣流体の採取システム。
【請求項２】
上記把持可能な部分は上記表面シートの開口又は上記裏シートの開口に配置されており、上記流体採取検査ストリップは上記表面シート又は裏シートと上記吸収性パッドとの間に配置されており、上記流体採取検査ストリップは上記吸収性パッド上に位置するポケット内に配置されており、上記ポケットは、このポケットを画定するように上記吸収性パッドに選択的に接着され選択的に接着されていない上記表面シートで作られている、請求項１に記載の採取システム。
【請求項３】
上記流体採取検査ストリップは、上部保護層と下部保護層との間に配置された流体吸収層を備え、上記上部及び下部保護層は少なくとも１つの開口を有し、上記少なくとも１つの開口は上記吸収性パッドとの流体接触を提供するように配置されており、上記流体採取検査ストリップは上記吸収性パッドに形成されている凹部に配置されており、上記流体採取検査ストリップは上記吸収性パッド上に位置するポケット内に配置されており、上記ポケットは、このポケットを画定するように上記吸収性パッドに選択的に接着され選択的に接着されていない上記表面シートで作られており、上記ポケットは、上記流体採取検査ストリップの取り外し及び／又は挿入を可能にする大きさに形成された上記開口を備えており、上記流体採取検査ストリップは上記表面シートの上に付着され、取り付け／取り外し可能である、請求項１に記載の採取システム。
【請求項４】
流体は直接上記表面シートから上記流体採取検査ストリップの開口に流れる、請求項３に記載の採取システム。
【請求項５】
上部保護層と下部保護層との間に配置された流体吸収層を備え、上記上部及び／又は下部保護層は少なくとも１つの開口を有し、上記少なくとも１つの開口は上記流体吸収層に流体連通するような位置に設けられており、上記流体吸着層は少なくとも１つの全月経血採取ストリップ及び／又は少なくとも１つの血漿／血清分離検査ストリップを備えており、
上記上部保護層と上記流体吸収層との間に配置された流体不透過層を備え、この流体不透過層は、上記流体吸収層への流体の流れを可能とすべく上記流体吸着層への流体の流れを可能とするための少なくとも１つの第１の開口及び／又は分離された血漿／血清にアクセスするためのウィンドウを画定する第２の開口を有する、膣流体採取検査ストリップ。
【請求項６】
上記上部及び下部保護層は複数の開口を有し、上記流体吸着層は複数の流体吸着ゾーンを有し、上記流体吸着層は少なくとも１つの血漿分離検査ストリップと、全血検査ストリップからなる少なく１つの流体吸収層との少なくとも一方を備え、上記複数の流体吸着ゾーンは、互いから流体的に分離されていると共に、上記上部及び下部保護層の異なる開口と流体的に連通している、請求項５に記載の膣流体採取検査ストリップ。
【請求項７】
上記流体採取検査ストリップは、月経血を濾過するのに適した孔径を有するようにコーティング及び／又は選択される、請求項３に記載の採取システム。
【請求項８】
人間の目及び／又は電子的読取装置、例えばスマートフォン、によって識別可能な、膣流体にバイオマーカがあることを視覚的に示すように選択されたカラーインジケータを備えている、請求項５に記載の膣流体採取検査ストリップ。
【請求項９】
開いた上端を有し、閉じた下端まで延びる流体容器を備え、オプションとしてのステムは上記流体容器の下端に取り付けられ、上記流体容器は、内壁及び外壁と、上記開いた上端の周りを周方向に延びるリムとを有しており、上記内壁は、抗凝固剤、防腐剤、又は、診断アッセイのために若しくは細胞を溶解するために使用され得るその他の化学物質でコーティングすることができ、
上記流体容器の開いた上端のリムに適合する寸法を有する蓋を備え、この蓋は上面と下面とを有しており、上記蓋及び上記流体容器のリムは、互いに係合して流体密及び／又は蒸気密のシールを形成するように、寸法設定されると共に構成されている、膣流体の採取システム。
【請求項１０】
膣流体の格納及び保存のための採取管をさらに備え、上記採取管は、添加剤、バッファ、抗凝固剤、防腐剤、又は、診断用化学プロセスに使用可能な他の化学物質を収容している、請求項１−９に記載の採取システム。
【請求項１１】
上記膣流体の採取システム及び／又は上記流体採取検査ストリップは、コンピュータが読み取り可能な識別子であるＲＦＩＤ、ＱＲコード、又は他の種類の識別子を有する、請求項１−１０のいずれかに記載の採取システム。
【請求項１２】
請求項１乃至１１のいずれかに記載の膣流体の採取システムに膣流体を採取すること、
採取された上記膣流体を輸送し、分析すること、
を備えた膣流体分析方法。
【請求項１３】
採取装置は乾燥血液スポット検査ストリップ又は乾燥血漿若しくは血清ストリップであり、上記分析には、他のウイルス、バクテリア、真菌、ホルモン、脂質、タンパク質を含むがこれらに限定されない健康に関係した他のバイオマーカの検出又はスクリーニングが含まれる、請求項１−１２に記載の膣流体分析方法。
【請求項１４】
流体透過性の表面シートと、
流体不透過性の裏シートと、
上記表面シートと上記裏シートとの間に配置された吸収性パッドと、
縁部から延びる把持可能な部分を有し、上記吸収性パッドと流体接触するように配置された尿採取検査ストリップと
を備え、
上記裏シート又は上記表面シートの少なくとも1つは、流体採取検査ストリップの取り外し及び/又は挿入を可能にする大きさに形成された開口を含み、
上記吸収性パッドは、おむつ、又は、女性生理用品若しくは失禁パッド等の吸収性衛生パッドに組み込まれている、尿採取システム。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
楽器用のベントスパナであって、
前記楽器の本体のベントに接触し、かつ前記ベントを封止するためのパッドを持ち上げるように構成されたベントスパナ部を含み、前記ベントスパナ部は、配置機構および保持機構の１つ以上を含み、前記ベントスパナ部は、前記パッドが前記ベントを封止するのを防ぎ、前記パッドおよび本体の周囲の空気流を増加させるように構成される、ベントスパナ。
【請求項２】
前記ベントスパナ部が、第１の表面および前記第１の表面と実質的に対向する第２の表面を含み、前記配置機構が、ａ）前記第１の表面および前記第２の表面の１つ以上の上にある視覚インジケータ、ｂ）前記第１の表面および前記第２の表面の１つ以上の全てまたは一部の上にあるテクスチャ加工されたパターン、およびｃ）前記第１の表面および前記第２の表面の１つ以上の全てまたは一部の上にある１つ以上の凸状領域または凹状領域、のうちの１つ以上を含む、請求項１に記載のベントスパナ。
【請求項３】
前記１つ以上の凸状領域が、前記パッドおよび共振器のうちの１つ以上の一部と係合するように配置された突起を含む、請求項２に記載のベントスパナ。
【請求項４】
前記１つ以上の凸状領域が突起を含み、前記突起の位置が前記第１の表面に沿って移動可能である、請求項３に記載のベントスパナ。
【請求項５】
前記第１の表面が、前記第１の表面に形成されたスロットを含み、この中に前記突起が移動可能に配置される、請求項４に記載のベントスパナ。
【請求項６】
前記第２の表面上に保持機構をさらに含み、前記第２の表面が前記スロットをさらに含み、前記保持機構が前記ベントと係合するための少なくとも１つの突起を含み、前記少なくとも１つの突起が、前記スロット内で移動可能に配置可能である、請求項５に記載のベントスパナ。
【請求項７】
前記突起が前記第１の表面に取り外し可能に接続され、前記突起が、複数の交換可能な突起を含み、各突起が異なるサイズである、請求項３に記載のベントスパナ。
【請求項８】
前記ベントスパナ部が、第１の表面と、前記第１の表面と実質的に対向する第２の表面とを含み、前記保持機構が、ａ）前記第１の表面および前記第２の表面の１つ以上の全てまたは一部の上にあるテクスチャ加工されたパターン、ｂ）前記第１の表面および前記第２の表面の１つ以上の全てまたは一部の上にある１つ以上の凸状領域または凹状領域、ｃ）前記ベントスパナが前記ベントと前記パッドとの間に滑り出ることを防ぐために、前記ベントに十分な摩擦を加える前記第１の表面および前記第２の表面の１つ以上を構成する前記第１の表面および前記第２の表面の１つ以上を形成する材料、ｄ）前記ベントスパナが前記ベントと前記パッドとの間に滑り出ることを防ぐために、前記ベントに十分な摩擦を加える前記第１の表面および前記第２の表面の１つ以上を構成する前記第１の表面および前記第２の表面の１つ以上をコーティングする材料、のうちの１つ以上を含む、請求項１に記載のベントスパナ。
【請求項９】
前記ベントスパナ部が第１の表面および第２の表面を含み、前記第１の表面および前記第２の表面が、前記ベントスパナ部の長さに沿った側部を有し、第１の表面が、前記第１の表面の全てまたは一部に沿った凸状領域を含み、前記第１の表面および前記第２の表面の一方または両方の側部が、前記保持機構として前記ベントに係合するように構成されている、請求項１に記載のベントスパナ。
【請求項１０】
前記ベントスパナ部に接続されたハンドルをさらに含む、請求項１に記載のベントスパナ。
【請求項１１】
前記保持機構が、ベントに係合し、前記ベントスパナ部を前記ベントに対して配置するように構成されている、請求項１に記載のベントスパナ。
【請求項１２】
前記ベントスパナ部がベント対向表面を含み、前記保持機構が、前記ベントの壁の内側または外側になるように前記ベント対向表面上に配置された１つ以上の凸状領域、または、前記ベント対向表面に少なくとも１つの凹状領域を含む、請求項９に記載のベントスパナ。
【請求項１３】
前記ベントスパナ部または前記ベントスパナ部に接続されたハンドルのいずれかに接続されるように構成された連結機構をさらに含み、
任意には、ｉ）前記連結機構が、紐、ストラップ、コード、チェーン、ビーズコード、または剛性部材を含み、あるいは、ｉｉ）前記連結機構が、追加のベントスパナ、パッド支柱、端部ピース、キー機構、および前記楽器の前記本体のうちの１つ以上に接続される、請求項１に記載のベントスパナ。
【請求項１４】
前記連結機構が、少なくとも部分的にテクスチャ加工された表面を含む、請求項１３に記載のベントスパナ。
【請求項１５】
前記ベントスパナ部は、長さに沿って厚さが変化する、請求項１に記載のベントスパナ。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
コンピューティングデバイス上でデジタルインクの編集を提供するためのシステムであって、各コンピューティングデバイスは、プロセッサと、前記プロセッサの制御下で手書き入力を認識するための少なくとも１つの非一時的なコンピュータ可読媒体を備え、前記少なくとも１つの非一時的なコンピュータ可読媒体は、
前記手書き入力に応じてデジタルインクをコンピューティングデバイスの表示インタフェースに表示させ、
前記手書き入力の前記認識を通じて決定された前記手書き入力の分割情報から前記デジタルインクの要素の範囲を決定するステップを行い、
前記決定されたデジタルインクの要素の範囲に関連して入力カーソルを前記表示インタフェースに表示させ、
前記デジタルインクの要素の範囲を決定する前記ステップにおいて決定された前記デジタルインクの要素の範囲についての重複の範囲内に前記入力カーソルを表示させるように構成される、
システム。
【請求項２】
前記デジタルインクの前記要素はテキスト文字を含み、前記少なくとも１つの非一時的なコンピュータ可読媒体は、第１の文字と第２の文字についての前記決定された範囲に関連して前記入力カーソルを前記第１の文字と前記第２の文字との間の位置に表示するように構成される、
請求項１に記載のシステム。
【請求項３】
幾何学的特徴には、前記決定された範囲の高さ及び幅を含む
請求項１に記載のシステム。
【請求項４】
コンピューティングデバイス上でデジタルインクの編集を提供するための方法であって、各コンピューティングデバイスは、プロセッサと、前記プロセッサの制御下で手書き入力を認識するための少なくとも１つの非一時的なコンピュータ可読媒体を備え、前記方法は、
前記手書き入力に応じてデジタルインクをコンピューティングデバイスの表示インタフェースに表示するステップと、
前記手書き入力の前記認識を通じて決定された前記手書き入力の分割情報から前記デジタルインクの要素の範囲を決定するステップと、
前記決定されたデジタルインクの要素の範囲に関連して編集カーソルを前記表示インタフェースに表示するステップと、
前記デジタルインクの要素の範囲を決定する前記ステップにおいて決定された前記デジタルインクの要素の範囲についての重複の範囲内に前記編集カーソルを表示させるステップと、を含む
方法。
【請求項５】
前記デジタルインクの前記要素はテキスト文字を含み、前記編集カーソルは、第１の文字と第２の文字についての前記決定された範囲に関連して前記第１の文字と前記第２の文字との間の位置に表示される
請求項４に記載の方法。
【請求項６】
幾何学的特徴には、前記決定された範囲の高さ及び幅を含む
請求項４に記載の方法。
【請求項７】
そこに収録されるコンピュータ可読プログラムコードを持つ非一時的なコンピュータ可読媒体であって、前記コンピュータ可読プログラムコードが実行されて、コンピューティングデバイス上でデジタルインクの編集を提供するための方法を実施するように適合され、前記コンピューティングデバイスは、プロセッサと、前記プロセッサの制御下で手書き入力を認識するための少なくとも１つの非一時的なコンピュータ可読媒体を備え、前記方法は、
前記手書き入力に応じてデジタルインクをコンピューティングデバイスの表示インタフェースに表示するステップと、
前記手書き入力の前記認識を通じて決定された前記手書き入力の分割情報から前記デジタルインクの要素の範囲を決定するステップと、
前記決定されたデジタルインクの要素の範囲に関連して編集カーソルを前記表示インタフェースに表示するステップと、
前記デジタルインクの要素の範囲を決定する前記ステップにおいて決定された前記デジタルインクの要素の範囲についての重複の範囲内に前記編集カーソルを表示させるステップと、を含む
非一時的なコンピュータ可読媒体。
【請求項８】
前記デジタルインクの前記要素はテキスト文字を含み、前記編集カーソルは、第１の文字と第２の文字についての前記決定された範囲に関連して前記第１の文字と前記第２の文字との間の位置に表示される
請求項７に記載の非一時的なコンピュータ可読媒体。
【請求項９】
幾何学的特徴には、前記決定された範囲の高さ及び幅を含む
請求項７に記載の非一時的なコンピュータ可読媒体。